(57)【特許請求の範囲】
【請求項１】
本体7と、
該本体に取付けられ、絞器駆動ローラー1と、絞器空回りローラー2と、空回りローラー3と、空回りローラー4とを含む複数のローラーと、
前記絞器空回りローラー2と、前期空回りローラー3と、前記空回りローラー4とに掛け回される吸水ベルト9と、
前記絞器駆動ローラー1に取付けられた駆動ハンド11を回すことにより、前記絞器駆動ローラー1と前記絞器空回りローラー2の間で、前記吸水ベルト9を挟んで、前記吸水ベルト9に吸水された水を絞る絞器と、前記本体7の両外側において、前記絞器駆動ローラー1と前記絞器空回りローラー2の軸間に設けられた前記吸水ベルト9の水を絞る絞圧を調整出来る引張物12と、  前記吸水ベルト9の接地面に対して、吸水ベルト押え10を介して設けられたクッション13と、を備え、
前記空回りローラー4は、前記吸水ベルト9が円滑に回る様に、前記空回りローラー4の位置を移動することで、前記吸水ベルト9の伸び縮み、前記吸水ベルト9の左右調整ができ、
前記吸水ベルト押え10を設けた拭き面で、汚れを拭き取ることのできることを特徴とする装置。  
【請求項２】
前記絞器駆動ローラー1は、絞器駆動ローラー駆動ハンドル11を備え、前記絞器駆動ローラー駆動ハンドル11を回すことにより、前記絞器駆動ローラー1と前記絞器空回りローラー2の間で、前記吸水ベルト9を挟んで、前記吸水ベルト9に吸水された水を絞る絞器を特徴とする請求項1に記載の装置。
【請求項３】
前記本体7の両外側において、前記絞器駆動ローラー1と前記絞器空回りローラー2の軸間に設けられた前記吸水ベルト9の水を絞る絞圧を調整出来る引張物12と、
前記吸水ベルト9の接地面に対して、吸水ベルト押え10を介して設けられたクッション13と、を備え、
前記空回りローラー4は、前記吸水ベルト9が円滑に回る様に、前記空回りローラー4の位置を移動することで、前記吸水ベルト9の伸び縮み、前記吸水ベルト9の左右調整ができ、
前記吸水ベルト押え10を設けた拭き面で、汚れを拭き取ることのできることを特徴とする請求項1または請求項2に記載の装置。  
【発明の詳細な説明】
【技術分野】
【０００１】
洗面台の水滴を雑巾で毎回拭き取る、使うたびに拭き取る、又飯台を布巾で拭きとっていた、本発明は、洗面台の水滴を取り除く、又飯台も拭く、除菌もする、絞器付吸水ベルトの製造方法に関する。
【背景技術】
【０００２】
従来は、布巾、雑巾、タオル等で拭いていた。
【先行技術文献】
【特許文献】
【０００３】
【特許文献１】特開2014−159898
【非特許文献】
【０００４】
【非特許文献２】実解昭61−099537
【発明の概要】
【発明が解決しようとする課題】
【０００５】
従来は、雑巾で洗面台の水滴を拭き、飯台は、布巾で拭くが、抗菌洗剤で手が荒たり、拭くたびに水で洗う、何回も、何回も水に濡れると言う問題点があった。
【０００６】
本発明は、布巾で手を濡らさずに、絞器吸水ベルトに水道水で洗いながら絞り、抗菌洗剤を吸水ベルトに染込ませ絞る、洗面台の水滴、飯台を拭く、吸水ベルトが汚れたら、桶に入れた水にキッチンハイター（登録商標）を入れ、絞器付吸水ベルト、本体ごと全部キッチンハイター（登録商標）で薄めた、水の中に沈めて除菌と漂白にする、製造方法を提供する。
【課題を解決するための手段】
【０００７】
本体の、絞器駆動ローラーと、絞器空回りローラーに、吸水ベルトを、絞器駆動ローラーと、絞器空回りローラーに、挟み、絞る、吸水ベルトを、空回りローラーに、通して、絞器駆動ローラーと、絞器空回りローラーと、本体の両、外側に、引張物を取付け挟み圧が調整出来る、空回りローラーを、吸水ベルトが、円滑に回る様に、吸水ベルトの左右ずれ調整と、伸び縮み調整が出来る。
【０００８】
水道の水を、吸水ベルトに流しながら洗い絞る、絞った、吸水ベルトに抗菌洗剤を1.2滴落し、抗菌洗剤を潤滑油替わりに使い、軸全体に染み込ませ絞って、飯台等を拭き取る、この繰り返しで拭き取りが終わったら、吸水ベルトを水道水で洗い、抗菌洗剤を1.2滴落し、絞り、壁の金具に掛けて乾かす。
【０００９】
吸水ベルトが汚れたら、本体、全体を、桶の水に溶かしたキッチンハイター（登録商標）に沈めてつける。
【００１０】
吸水ベルトが汚れて取替える時は、蝶ネジ側の側板が、複数の蝶ネジをゆるめて外せる。
【発明の効果】
【００１１】
洗面台を拭くのに、何回も濡らした雑巾、又は布巾を使い、絞器吸水ベルトで拭くと、濡らした雑巾、又は布巾等を手で拭かなくても良い。
【００１２】
絞器駆動ローラーと、絞器空回りローラーで、吸水ベルトを挟み絞る、吸水ベルトが調度いい濡れ具合に成り、手を濡らさずに、洗面台、飯台等が拭ける。図1の同じ部材のローラーの、4の空回りローラーが、吸水ベルトの伸び縮み調整と、吸水ベルトの左右ずれ調整で、吸水ベルトが円滑に回る。
【００１３】
絞器駆動ローラーと絞器空回りローラーに、吸水ベルトを挟み絞る、吸水ベルトに抗菌洗剤を1.2滴落として染込ませる、絞器駆動ローラーと絞器空回りローラーの、軸、摩擦面に抗菌洗剤を潤滑油替わりに使う、駆動ハンドルを回して絞り使う。
【００１４】
吸水ベルトは、吸水率の高い物。
【００１５】
吸水ベルトが汚れたら、桶に入れた水にキッチンハイター（登録商標）をうすめ、絞器付吸水ベルト本体を、全体沈める、抗菌と漂白が出来る。
【図面の簡単な説明】
【００１６】
【図１】図1の1の絞器駆動ローラーと2の絞器空回りローラーに、9の吸水ベルトを挟み、3空回りローラーを通り、4の空回りローラーの吸水ベルトの伸び縮み調整と、吸水ベルトの左右ずれ調整ローラー、駆動ハンドルを回し、絞り、拭く。7の本体は、拭きやすさと、拭く時の力の入り具合で不等辺三角形にする、側面図。
【図２】図2の1の絞器駆動ローラーと、2の絞器空回りローラーに、9の吸水ベルトを挟み、12の挟み圧調整の引張物。8の蝶ネジ部分の、側板が外せる、不等辺三角形の部分、側面図。
【図３】図3の1の絞器駆動ローラーと駆動ハンドル、蝶ネジ部分の側板が外せる、拭き面から見た平面図。
【発明を実施するための形態】
【００１７】
図1の7の本体に、同じ部材の複数のロールを取付けたロールと、7の本体に図1の1の絞器駆動ローラーと図1の2の絞器空回りローラーとで絞る、図1の3と4の空回りローラーを取付ける、図1の1の絞器駆動ローラーと、図1の2の絞器空回りローラーに、図1の9の吸水ベルトを挟み、図1の3と4の空回りローラーに通す、図1の4の空回りローラーで、吸水ベルトが、円滑に回る様に、吸水ベルトの伸び縮みと、ベルトの左右ずれの調整が出来る様にする。
【００１８】
図の1の1の絞器駆動ローラーと、図1の2の絞器空回りローラーに、図1の7の本体の両、外側に図1の12の引張物をして、挟み圧が調整出来る様に、図1の7の本体に、図1の10の押当板を拭き取り面に取付けて、図の1の1に絞器駆動ローラーの、図1の11の駆動ハンドルを回し、図1の9の吸水ベルトの吸水した水滴を、図1の1の絞器駆動ローラーで絞る、水道の水を9の吸水ベルトに流しながら洗い絞る、絞った9の吸水ベルトに抗菌洗剤を1.2滴落し、抗菌洗剤を潤滑油替わりに使い、軸全体に染み込ませ絞って、飯台等を拭き取る、この繰り返しで拭き取りが終わったら、吸水ベルトを水道水で洗い、抗菌洗剤を1.2滴落し、絞り、壁の金具に掛けて乾かす。
【００１９】
図1の9の吸水ベルトが汚れたら、図1の7の本体、全体を、桶の水に溶かしたキッチンハイター（登録商標）に沈めてつける、絞器吸水ベルトは、本体全体を水に沈め付ける為、構造物はさびない物を使う、ベアリング等から油が漏れない物を使う、吸水ベルトが汚れて取替える時は、蝶ネジ側の側板が、蝶ネジをゆるめて外せる、本発明は、以上の様な構造で成り立つ、絞器付吸水ベルトである。
【符号の説明】
【００２０】
1    絞器駆動ローラー
2    絞器空回りローラー
3    空回りローラー
4    吸水ベルトの伸び縮み調整、吸水ベルトの左右ずれ調整
5    パイプ、ベアリング見たいな物
6    ボルト （軸）
7    本体（7の本体の蝶ネジ部分の側板が外せる）
8    蝶ネジ
9    吸水ベルト
10  吸水ベルト押当板
11  駆動ハンドル
12  引張物
13  バネ
14  14の7の本体のグリップ
【図１】
0006286626.tif 000002
【図２】
0006286626.tif 000003
【図３】
0006286626.tif 000004